(57)【特許請求の範囲】
【請求項１】
便器の両側に略水平で前後方向に長い肘掛け用バー材を便器に突設される支持バー材の上端に固定して配設し、支持バー材の上端を肘掛け用バー材の下面の外側に位置させ、両肘掛け用バー材の下面の内側に照明用発光部を設け、便器の上面及びその両側方の下側が選択的に照らされてなる便器装置。
【請求項２】
照明用発光部が肘掛け用バー材の前後方向略全長にわたるものであることを特徴とする請求項１記載の便器装置。
【発明の詳細な説明】
【技術分野】
【０００１】
本願発明は、照明機能を備えた便器装置に関するものである。
【背景技術】
【０００２】
従来から、照明機能を備えた便器装置として種々のものが提案されている。例えば、特許文献１（特開２００１−１２０４４８号公報）には、便座、便蓋を含む便器全体の表面に多数のＬＥＤを埋設した便器装置が示されている。この場合、美観が高められ、暗がりでも位置が分かるようになるとされている。また、特許文献２（特開平１−２２３２３２号公報）には、便器外周に垂設されたスカート部の内側に照明器具を設けた便器装置が示されている。この場合、便器下方を照明することができ、周辺の清掃も容易になるとされている。
【特許文献１】特開２００１−１２０４４８号公報
【特許文献２】特開平１−２２３２３２号公報
【発明の開示】
【発明が解決しようとする課題】
【０００３】
しかしながら、上記特許文献１に示された従来例では、便器周辺の上方までもが明るく照らされてしまうため眩しく、夜中にトイレに入った際に目が覚めてしまって再び寝つき難くなるという問題がある。また、上記特許文献２に示された従来例では、下方が照らされて眩しくはないものの、暗がりで便器の上面が見え難くて、使用時に不安を感じてしまうという問題がある。
【０００４】
本願発明は、このような問題を解決すべく上記背景技術に鑑みてなされたもので、その課題は、夜中等暗がりで使用する際に、必要な部位のみ照らして眩しくないようにし、安心して使用することができる照明機能を備えた便器装置を提供することである。
【課題を解決するための手段】
【０００５】
上記課題を解決するために、本願発明の便器装置では、便器の両側に略水平で前後方向に長い肘掛け用バー材を便器に突設される支持バー材の上端に固定して配設し、支持バー材の上端を肘掛け用バー材の下面の外側に位置させ、両肘掛け用バー材の下面の内側に照明用発光部を設け、便器の上面及びその両側方の下側が選択的に照らされてなるものである。
【発明の効果】
【０００６】
本願発明の便器装置においては、便器の両側に略水平で前後方向に長い肘掛け用バー材を配設しているので、肘掛け用バー材を持って身体を支え、安全に便器を使用することができる。しかも、前記両肘掛け用バー材の下面に照明用発光部を設けているので、便器の上面をも含めたその周辺下方が照明用発光部によって照らされ、眩しくなく便器を安心して使用することができ、肘掛け用バー材の位置も分かって安全性が向上する。
【発明を実施するための最良の形態】
【０００７】
図１〜３は、本願の請求項１〜３全てに対応した一実施形態である便器装置を示している。この実施形態の便器装置は、便器１の両側に略水平で前後方向に長い肘掛け用バー材２を配設し、両肘掛け用バー材２の下面に照明用発光部３を設けてなる。この場合、肘掛け用バー材２が便器１に突設される支持バー材４の上端に固定されるものであり、支持バー材４の上端を肘掛け用バー材２の下面の外側に位置させ、肘掛け用バー材２の下面の内側に照明用発光部３を設けている。また、照明用発光部３が肘掛け用バー材２の前後方向略全長にわたるものである。
【０００８】
以下、この実施形態の便器装置を、より具体的詳細に説明する。便器１は洋式の水洗便器であり、図１、２に示すように、陶器や合成樹脂等で形成される上方に開口した便器本体５、便器本体５の後端部上に設置される温水洗浄装置６、温水洗浄装置６に枢支される便座７及び便蓋８、等を具備している。温水洗浄装置６は人体の局部を温水にて洗浄する機能を有するものであり、局部を温風により乾燥させる機能を有していてもよい。
【０００９】
また、温水洗浄装置６の前端部分には、便座７及び便蓋８が各別に回動されるように枢支されている。便座７はヒーターが内蔵される等して暖房機能を有しており、便蓋８は同便座７の上から便器本体５の上方開口部分を覆うように設けられている。この場合、便蓋８を開け、便座７を降ろして便器本体５上に載置した状態で、同便座７上に着座して便器１を使用することができる。
【００１０】
そして、便器１の両側には各々、略水平で前後方向に長い肘掛け用バー材２が配設されている。この場合、便器本体５の後部側方に回動軸９が突設されており、この回動軸９に一端が結合された支持バー材４の他端に肘掛け用バー材２は結合固定されている。肘掛け用バー材２はその使用状態において、便器１の両側方でその上端より高い位置にて略水平とされるが、不要な場合には、回動軸９を中心にして支持バー材４と共に後方へ回動させることができる。肘掛け用バー材２は後方へ回動されると、便器１の側方後側で起立状態となり邪魔にならない。しかも、この状態では肘掛け用バー材２の下面が前方を向き、後記照明用発光部３のメンテナンスを容易に行うことができる。
【００１１】
肘掛け用バー材２は支持バー材４の上端に固定され、図３に示すように、支持バー材４の上端の固定部１０に肘掛け用バー材２の下面が結合固定されている。この場合、固定部１０による結合固定部位は、肘掛け用バー材２の下面の外側で後方に位置している。肘掛け用バー材２は木材や合成樹脂等でなり、その下面に前後方向略全長にわたる開口凹所１１が形成されている。そして、開口凹所１１の内部に直管型の蛍光灯であるランプ１２が収容設置され、同開口凹所１１の開口部分を透光カバー１３で塞ぐことにより、照明用発光部３は設けられている。
【００１２】
前記照明用発光部３は肘掛け用バー材２の下面の内側に位置し、同肘掛け用バー材２の前後方向略全長にわたるものである。この場合、図２に示すように、両側の照明用発光部３によって、便器１の上面及びその両側方の下側（便座７及び便器１周辺の床面）が効率的に照らされ、その際、支持バー材４の影響を受け難く、肘掛け用バー材２をその上に肘を置く等して使用しても、照明用発光部３による照明には支障を来さない。なお、照明用発光部３の光源は、蛍光灯のようなランプ１２の他、ＬＥＤであってもよく、多数のＬＥＤを肘掛け用バー材２の下面に埋設して照明用発光部３としてもよい。
【００１３】
したがって、この実施形態の便器装置においては、便器１の両側に略水平で前後方向に長い肘掛け用バー材２を配設しているため、両肘掛け用バー材２を持って身体を支えた状態で、便器１の便座７に着座したりそこから立ち上がったりする動作を安全に行うことができる。しかも、両肘掛け用バー材２の下面に照明用発光部３を設けているため、便器１の上面の便座７をも含めたその周辺下方が照明用発光部３によって照らされ、眩しくなく便器１を安心して使用することができ、夜中にトイレに入った際に目が覚めてしまって再び寝つき難くなることもなくなる。
【００１４】
また、肘掛け用バー材２の下面の照明用発光部３が発光することで、肘掛け用バー材２の位置が確認されて安全性はより向上される。そして、この場合、支持バー材４の上端を肘掛け用バー材２の下面の外側に位置させ、肘掛け用バー材２の下面の内側に照明用発光部３を設けているため、この照明用発光部３による照明に対しては支持バー材４が影響し難く、便器１の上面及びその両側方の下側（便座７及び便器１周辺の床面）が効率的に照らされる。更に、照明用発光部３が肘掛け用バー材２の前後方向略全長にわたるため、照明用発光部３による照明範囲は前後方向に大きく確保される。
【図面の簡単な説明】
【００１５】
【図１】本願発明の一実施形態である便器装置を示す斜視図。
【図２】同便器装置を示す正面図。
【図３】同便器装置における肘掛け用バー材を示す下方から見た斜視図。
【符号の説明】
【００１６】
１  便器
２  肘掛け用バー材
３  照明用発光部
４  支持バー材
５  便器本体
６  温水洗浄装置
７  便座
８  便蓋
９  回動軸
１０  固定部
１１  開口凹所
１２  ランプ
１３  透光カバー
【図１】
0004640098.tif 000002
【図２】
0004640098.tif 000003
【図３】
0004640098.tif 000004